(57)【要約】      （修正有）【課題】ワッシャー供給トレイのワッシャー装填作業を、一度に、迅速に、便利に完成させることができる釘打ち銃用ワッシャー構造を提供する。【解決手段】釘打ち銃用ワッシャー構造は、釘打ち銃のワッシャー供給トレイの規格に合わせ、ワッシャー基材１１を予定の長さに製造し、さらに必要なワッシャー１０形態に応じて、ワッシャー基材１１を、複数枚を組み合わせた配列状のワッシャーユニット１２に成型し、同時に各ワッシャーユニット１２の接続面には、完全に切断されていない裁断線１３を予め形成する。これにより釘打ち銃１を利用して、釘が、釘打ち銃に打ち出され、ワッシャー１０を通過する際、一緒に裁断され、持ち出され、さらに少なくとも２本、或いは２本以上の挿入ピンを対応させ、複数枚のワッシャーユニット１２を串刺し状にし組み合わせ、釘打ち銃に付設のワッシャー供給トレイ内への装填に有利とし、こうして釘打ち銃の連続打ち出し作業に対応することができる。【選択図】図２
0003174830.tif 000002
【実用新案登録請求の範囲】
【請求項１】
釘打ち銃用ワッシャー構造は、ワッシャーを装填する釘打ち銃に付設のワッシャー供給トレイの構造であり、
該ワッシャーは、予定規格の長さの基材を一体にプレス成型し、
該各基材を、複数枚組み合わせた配列状のワッシャーユニットに成型し、
該各ワッシャーユニットの中心に穿孔を設け、しかも該各隣接するワッシャーユニットの接続面に完全に切断されていない裁断線を予め形成し、
該各裁断線は、釘が該釘打ち銃に打ち出され、該ワッシャーを通過する際、一緒に裁断され、該ワッシャーは釘に持ち出されることを特徴とする釘打ち銃用ワッシャー構造。
【請求項２】
前記ワッシャーユニットは、複数枚を重ね、これに少なくとも２本、或いは２本以上の挿入ピンを対応させ、特定のワッシャーユニットの中心穿孔に挿入して通過させ、これを串刺し状にして組み合わせることを特徴とする請求項１に記載の釘打ち銃用ワッシャー構造。
【請求項３】
前記ワッシャーユニットのワッシャー基材は、該釘打ち銃に付設のワッシャー供給トレイの規格に応じて裁断し、予定の長さに成型し、さらにプレス成型を経て、該ワッシャーユニットとすることを特徴とする請求項１に記載の釘打ち銃用ワッシャー構造。
【請求項４】
前記ワッシャーユニットのワッシャー基材は、ワッシャーのプレス成型完成後、さらに該釘打ち銃に付設のワッシャー供給トレイ規格に合わせて、予定の長さに裁断することを特徴とする請求項１に記載の釘打ち銃用ワッシャー構造。
【請求項５】
前記ワッシャーは、平面ワッシャーであることを特徴とする請求項１に記載の釘打ち銃用ワッシャー構造。
【請求項６】
前記ワッシャーは、弧状陥没ワッシャーであることを特徴とする請求項１に記載の釘打ち銃用ワッシャー構造。
【請求項７】
前記ワッシャーは、ガスケットワッシャーで、
該ワッシャーのプレス成型後に、その背面側に、ガスケットを接着して覆うことを特徴とする請求項１に記載の釘打ち銃用ワッシャー構造。
【考案の詳細な説明】
【技術分野】
【０００１】
本考案は釘打ち銃用ワッシャー構造に関し、特にワッシャーをワッシャー供給トレイに装填し、その構造の組成と設計を通して、一体のプレス成型の複数のワッシャーユニットを組み合わせて配列させ、同時に、各ワッシャーユニットの接続境界面に、完全に切り離されていない裁断線を予め形成し、さらに複数のワッシャーユニットを重ね、それに挿入ピンを串刺し状に通して組合せることで、ワッシャー供給トレイ内にそのまま装填でき、作業効率を向上させることができ、しかも一般の平面ワッシャー、弧状陥没ワッシャー、ガスケットワッシャーなど各式ワッシャーの装填に適用可能である釘打ち銃用ワッシャー構造に関する。
【背景技術】
【０００２】
一般に、木工内装作業を行う際には、連結と固定のための部品として釘を用いる。
しかし、それを連結及び固定する必要がある場所は、非常に多いため、逐一手で釘を持ち、金槌で打ち付けていたのでは、非常に多くの時間と労力を浪費してしまう。
しかも、不注意により、手を打って怪我をする、という問題も発生し得る。
【０００３】
よって作業効率を高めるため、業者は専用の釘打ち銃を開発した。
これに、連結式を呈する釘を対応させ、エア駆動、或いは電動の方式で、釘打ち銃を駆動し釘を発射させる。
こうして、工作物に釘を打ち込み、安全、省力、迅速な作業を達成する。
【０００４】
一般の釘の設計は、釘打ち銃の発射釘として設計し、多くは、単純な釘槽装填設計のみを備える。
しかし実は、木工内装作業を行う時には、単純に釘を利用して連結するだけでなく、ワッシャーを用いて、釘と工作物との間の接触面とすることがある。
この時、一般的には、単純な釘槽装填設計のみを備える釘打ち銃では、適用において問題がある。
【０００５】
上記欠点に対して、本考案人は新型の釘打ち銃を開発した。
図１に示すように、それは釘打ち銃１、釘打ち銃本体２の２部位からなり、釘槽３を備え、釘を並べて装填できる他、ワッシャー供給トレイ４を増設することで、ワッシャーを装填可能である。
これにより、釘打ち銃の釘打ち器が釘を発射する時には、釘を先にワッシャーに通し、次に工作物に打ち付けることができ、こうして釘とワッシャーとを一回で打ちつける作業方式を達成することができる。
これにより、ワッシャーを釘設置接触面とする作業要求に適用できないという、従来の釘打ち銃の欠点を解決した。
【０００６】
しかし、このタイプの釘打ち銃のワッシャー供給トレイへの装填で、もし逐一装填、或いは重ねて装填を採用するなら、極めて大きな面倒と不便を引き起こし、同時に非常に多くの作業時間を費やすことになり、作業効率に深刻な影響を及ぼす。
しかも、装填の正確性を確保するのは難しく、同様に、ワッシャー供給トレイの供給がスムーズに行かなくなる恐れもあり、釘打ち作業の品質に影響を及ぼし、或いはワッシャーが詰まる、引っかかるという問題もある。
本考案は、従来の釘打ち銃の上記した欠点に鑑みてなされたものである。
【考案の概要】
【考案が解決しようとする課題】
【０００７】
本考案が解決しようとする第一の課題は、その組成設計により、複数のワッシャーを配列状のワッシャーユニットとし、これに挿入ピンを対応させ、複数のワッシャーユニットを重ねてそれを串刺し状にして組合せ、こうしてワッシャー供給トレイのワッシャーを使い終わった時、串刺し状に組合わせたワッシャーユニットをワッシャー供給トレイに入れることができ、ワッシャーを一回で装填する利便性を達成し、適当な補助器具がなく、ワッシャー装填作業に時間がかかり、不便であるという従来の構造の欠点を解決することができる釘打ち銃用ワッシャー構造を提供することである。
本考案が解決しようとする第二の課題は、ワッシャー構造の組成設計により、予めワッシャーユニットを重ねて串刺し状にし組み合わせ、ワッシャー装填用スペアとし、この形態で包装して販売することで、作業の最中にワッシャーを使い終わった時には、スペアを使用して直接装填すればよいため、作業の進行に悪影響を及ぼし、作業時間を浪費することがなく、極めて高い利便性を提供することができる釘打ち銃用ワッシャー構造を提供することである。
【課題を解決するための手段】
【０００８】
上記課題を解決するため、本考案は下記の釘打ち銃用ワッシャー構造を提供する。
釘打ち銃用ワッシャー構造は、釘打ち銃のワッシャー供給トレイの規格に合わせ、ワッシャー基材を予定の長さに製造し、
さらに、必要なワッシャー形態に応じて、該ワッシャー基材を、複数枚を組み合わせた配列状のワッシャーユニットに成型し、
同時に、該各ワッシャーユニットの接続面には、完全に切断されていない裁断線を予め形成し、
これにより、該釘打ち銃を利用して、釘が、釘打ち銃に打ち出され、ワッシャーを通過する際、一緒に裁断され、持ち出され、
さらに、少なくとも２本、或いは２本以上の挿入ピンを対応させ、複数枚のワッシャーユニットを串刺し状にし組み合わせ、釘打ち銃に付設のワッシャー供給トレイ内への装填に有利とし、
さらに、力を加えて、該挿入ピンを引き抜き、該ワッシャーユニットだけをワッシャー供給トレイ中に残し、
こうして、ワッシャーの一度の装填作業を完成させ、釘打ち銃の連続打ち出し作業に対応することができる。
【考案の効果】
【０００９】
本考案の釘打ち銃用ワッシャー構造は、その構造の組成と設計により、ワッシャー供給トレイのワッシャー装填作業を、一度に、迅速に、便利に完成させることができ、作業時間の浪費を大幅に減らすことができ、これにより全体の作業効率を高めることができる。
【図面の簡単な説明】
【００１０】
【図１】従来の釘槽、ワッシャー供給トレイを付設する釘打ち銃構造の模式図である。
【図２】本考案第一実施例のワッシャー構造の実施模式図(一)である。
【図３】本考案第一実施例のワッシャー構造の実施模式図(二)である。
【図４】本考案第二実施例のワッシャー背面にガスケットを接着して覆う構造の実施模式図(一)である。
【図５】本考案第二実施例のワッシャー背面にガスケットを接着して覆う構造の実施模式図(二)である。
【図６】本考案第一実施例のワッシャーに挿入ピンを対応させる構造の模式図である。
【図７】本考案の平面ワッシャー、弧状陥没ワッシャー、ガスケットワッシャーの模式図である。
【考案を実施するための形態】
【００１１】
以下に図面を参照しながら本考案を実施するための最良の形態について詳細に説明する。
【実施例】
【００１２】
図２〜７に示すように、本考案は、ワッシャー１０の基材１１として、予定規格の長さを採用する。
【００１３】
該基材１１の長さは、釘打ち銃１に付設のワッシャー供給トレイ４の収容設置空間に応じて製造し、或いは該ワッシャー１０のプレス成型後に、該ワッシャー供給トレイ４の長さに合わせて裁断する。
【００１４】
ワッシャー１０の裁断成型においては、必要なワッシャー１０の形態(図７に示す平面ワッシャー、弧状陥没ワッシャー、ガスケットワッシャー)に応じて、該基材１１を、ワッシャーユニット１２として配列状に一体プレス成型する。
【００１５】
同時に、該各ワッシャーユニット１２の接続面に、完全に切断されていない裁断線１３を予め形成する。
【００１６】
これにより、釘打ち銃１を利用して、釘を打ち出し、ワッシャー１０を通過させる時、一緒にそれを裁断して持ち出すことができる。
【００１７】
それをガスケットワッシャーに運用する時には、ワッシャーユニット１２背面側に、別に製造するゴムガスケット２０を接着して覆う。
ワッシャー１０が釘打ち銃１により打ち出される過程で、該ゴムガスケット２０も、一緒に裁断される。
【００１８】
上記した構造により、一体式配列状のワッシャーユニット１２を構成し、各ワッシャーユニット１２中心に形成する穿孔１４を利用して、少なくとも２本、或いは２本以上の挿入ピン３０を対応させ、複数のワッシャーユニット１２を重ねて串刺し状にし組み合わせる。
【００１９】
こうして、釘打ち銃１付設のワッシャー供給トレイ４内への装填の便を図り、さらに組成したワッシャー１０を装填スペアとすることで、包装して販売することができ、使用者は作業の必要に応じて、購入して、予備とすることができる。
【００２０】
上記した串刺し状に組合わせたワッシャーユニット１２を、釘打ち銃１のワッシャー供給トレイ４に装填する時、それ全体を一回にワッシャー供給トレイ４の供給口に装填することができる。
【００２１】
これに、力を加えて挿入ピン３０を、ワッシャー供給トレイ４側辺のスリットから引き抜く。
【００２２】
すると、重なったワッシャーユニット１２だけが、ワッシャー供給トレイ４中に残る。
【００２３】
こうして、ワッシャー１０の一度での装填作業を完成することができ、これにより釘打ち銃１は連続発射式の作業を行うことができる。
【００２４】
上記したように、本考案ワッシャー構造の組成、設計により、ワッシャー供給トレイを付設する新型釘打ち銃による作業中に、ワッシャー供給トレイ中のワッシャーを使い切り補充の必要がある時には、予め重ねて串刺し状にし組合わせたワッシャーユニットをスペアとすることで、簡単な装填及び引き抜き動作を行うだけで、迅速かつ便利に、ワッシャー供給トレイ内にワッシャーを一度で装填することができる。
【００２５】
こうして、その作業時間を大幅に節減し、作業効率を飛躍的に高めることができ、同時にワッシャーの装填品質と整然性を確保することができ、これによりそれを打ち出す際にはさらにスムーズとなり、ワッシャーの詰まり、引っ掛かりの比率を効果的に引き下げることができる。
【００２６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２８】
１    釘打ち銃
２    釘打ち銃本体
３    釘槽
４    ワッシャー供給トレイ
１０  ワッシャー
１１  基材
１２  ワッシャーユニット
１３  裁断線
１４  穿孔
２０  ガスケット
３０  挿入ピン
【図１】
0003174830.tif 000003
【図２】
0003174830.tif 000004
【図３】
0003174830.tif 000005
【図４】
0003174830.tif 000006
【図５】
0003174830.tif 000007
【図６】
0003174830.tif 000008
【図７】
0003174830.tif 000009
【手続補正書】
【提出日】平成24年2月6日(2012.2.6)
【手続補正１】
【補正対象書類名】実用新案登録請求の範囲
【補正対象項目名】全文
【補正方法】変更
【補正の内容】
【実用新案登録請求の範囲】
【請求項１】
釘打ち銃と、ワッシャーを装填し該釘打ち銃に付設のワッシャー供給トレイを有する釘打ち銃用ワッシャー構造であって、
該ワッシャー供給トレイに装填される該ワッシャーは、予定規格の長さの基材を一体にプレス成型し、該各基材を、複数枚組み合わせた配列状のワッシャーユニットに成型し、該各ワッシャーユニットの中心に穿孔を設け、しかも該各隣接するワッシャーユニットの接続面に完全に切断されていない裁断線を予め形成してあり、
該各裁断線は、釘が該釘打ち銃に打ち出され、該ワッシャーを通過する際、一緒に裁断され、該ワッシャーは釘に持ち出されることを特徴とする釘打ち銃用ワッシャー構造。
【請求項２】
前記ワッシャーユニットは、複数枚を重ね、これに少なくとも２本、或いは２本以上の挿入ピンを対応させ、特定のワッシャーユニットの中心穿孔に挿入して通過させ、これを串刺し状にして組み合わせることを特徴とする請求項１に記載の釘打ち銃用ワッシャー構造。
【請求項３】
前記ワッシャーユニットのワッシャー基材は、該釘打ち銃に付設のワッシャー供給トレイの規格に応じて裁断し、予定の長さに成型し、さらにプレス成型を経て、該ワッシャーユニットとすることを特徴とする請求項１に記載の釘打ち銃用ワッシャー構造。
【請求項４】
前記ワッシャーユニットのワッシャー基材は、ワッシャーのプレス成型完成後、さらに該釘打ち銃に付設のワッシャー供給トレイ規格に合わせて、予定の長さに裁断することを特徴とする請求項１に記載の釘打ち銃用ワッシャー構造。
【請求項５】
前記ワッシャーは、平面ワッシャーであることを特徴とする請求項１に記載の釘打ち銃用ワッシャー構造。
【請求項６】
前記ワッシャーは、弧状陥没ワッシャーであることを特徴とする請求項１に記載の釘打ち銃用ワッシャー構造。
【請求項７】
前記ワッシャーは、ガスケットワッシャーで、
該ワッシャーのプレス成型後に、その背面側に、ガスケットを接着して覆うことを特徴とする請求項１に記載の釘打ち銃用ワッシャー構造。